(57)【特許請求の範囲】
【請求項１】
所定の配列方向に設けられた複数の振動弁に沿って設けられる第１軸に取り付けられ、前記振動弁に対応する爪を備える複数のスターホイールと、
前記スターホイールの回転を停止するストッパと、
前記配列方向に沿って並列に配置され、前記ストッパとの間に所定の間隔をあけて保持され、電源から所定電圧の電力が供給されることにより励磁され、前記ストッパを、前記スターホイールの回転の停止を解除する方向に移動させる複数の電磁石と、
前記電磁石に、定電圧制御を行う制御部と、
前記電磁石を、前記ストッパとの間隔を変更可能に保持するホルダと、
第１部材と、前記第１部材より熱変形比率が大きい第２部材とから構成され、前記電磁石の通電により生じた熱が伝えられて熱変形することにより、前記電磁石を、前記ストッパとの間隔が狭くなる方向に動かす熱変形部と
を、備えることを特徴とするオルゴール。
【請求項２】
前記熱変形部は、前記電磁石と面する側に前記第１部材が設けられたものである
請求項１に記載のオルゴール。
【請求項３】
前記熱変形部は、前記電磁石の端部であって、前記ストッパとの間隔がある側とは逆側の端部に配置されたものである
請求項１又は２に記載のオルゴール。
【請求項４】
前記電磁石は、通電に起因する温度変化量に対応して抵抗値が低下することにより、吸引力が低下し、
前記熱変形部は、前記電磁石の通電に起因する温度上昇に伴って熱変形することにより、前記ストッパに対する温度上昇に伴う前記電磁石の吸引力の低下を、通電開始時の前記電磁石と前記ストッパとの距離を短くする方向に、前記所定の間隔を補正し、温度上昇する前の前記電磁石の吸引力と、通電されて温度上昇した後の前記電磁石の吸引力とを同等とするものである
請求項１から３の何れか１項に記載のオルゴール。
【発明の詳細な説明】
【技術分野】
【０００１】
本発明は、オルゴールに関し、特に、電磁石において発生する熱の影響を低減させるための改良に関する。
【背景技術】
【０００２】
音を発生させる振動弁を、振動弁に対向して配置された爪が回転することにより、爪が振動弁を弾いて演奏するオルゴールが知られている。例えば、特許文献１に記載されたオルゴール装置がそれである。この技術では、爪は、モータにより回転され、ストッパの作動により爪の回転の停止が制御される。ストッパの作動は、電磁石により制御される。電磁石が励磁されると、電磁石がストッパを引き付ける吸引力により、ストッパが外れ、爪が回転を開始する。非励磁とされると、爪はストッパにより、所定の停止位置で停止される。
【先行技術文献】
【特許文献】
【０００３】
【特許文献１】特開２００９−１１６３２３号公報
【発明の概要】
【発明が解決しようとする課題】
【０００４】
前記従来の技術において、オルゴールが曲を演奏するとき、例えば同じ音を発音させる頻度が高いと、その音に対応する電磁石の駆動頻度も高くなり、駆動頻度の増加に伴い電磁石の温度が上昇する。このため、電磁石のコイルの温度も上昇することとなり、コイルの温度上昇により、コイルの巻線抵抗が増加する。この結果、コイルを流れる電流が低下し、電磁石の吸引力が低下するおそれがある。特に、複数の電磁石が並んで配置される構成においては、各電磁石が自身の発熱に加え、隣り合う電磁石の発熱の影響を受けるため、電磁石の吸引力の低下が大きい。発熱の影響による電磁石の吸引力の低下により、電磁石がストッパを引き付けることができないおそれがある。
【０００５】
本発明は、以上の事情を背景として為されたものであり、その目的とするところは、電磁石において発生する吸引力の低下を補うオルゴールを提供することにある。
【課題を解決するための手段】
【０００６】
斯かる目的を達成するために、本願の請求項１に係る発明の要旨とするところは、所定の配列方向に設けられた複数の振動弁に沿って設けられる第１軸に取り付けられ、前記振動弁に対応する爪を備える複数のスターホイールと、前記スターホイールの回転を停止するストッパと、前記配列方向に沿って並列に配置され、前記ストッパとの間に所定の間隔をあけて保持され、電源から所定電圧の電力が供給されることにより励磁され、前記ストッパを、前記スターホイールの回転の停止を解除する方向に移動させる複数の電磁石と、前記電磁石に、定電圧制御を行う制御部と、前記電磁石を、前記ストッパとの間隔を変更可能に保持するホルダと、第１部材と、前記第１部材より熱変形比率が大きい第２部材とから構成され、前記電磁石の通電により生じた熱が伝えられて熱変形することにより、前記電磁石を、前記ストッパとの間隔が狭くなる方向に動かす熱変形部とを、備えることを特徴とするオルゴールである。
【０００７】
前記請求項１に係る発明に従属する本願の請求項２に係る発明の要旨とするところは、前記熱変形部は、前記電磁石と面する側に前記第１部材が設けられたものである。
【０００８】
前記請求項１又は２に係る発明に従属する本願の請求項３に係る発明の要旨とするところは、前記熱変形部は、前記電磁石の端部であって、前記ストッパとの間隔がある側とは逆側の端部に配置されたものである。
【０００９】
前記請求項１から３の何れか１項に係る発明に従属する本願の請求項４に係る発明の要旨とするところは、前記電磁石は、通電に起因する温度変化量に対応して抵抗値が低下することにより、吸引力が低下し、前記熱変形部は、前記電磁石の通電に起因する温度上昇に伴って熱変形することにより、前記ストッパに対する温度上昇に伴う前記電磁石の吸引力の低下を、通電開始時の前記電磁石と前記ストッパとの距離を短くする方向に、前記所定の間隔を補正し、温度上昇する前の前記電磁石の吸引力と、通電されて温度上昇した後の前記電磁石の吸引力とを同等とするものである。
【発明の効果】
【００１０】
本願の請求項１に係る発明によれば、前記電磁石の通電による温度上昇に従って増加する巻線抵抗に伴う前記電磁石の吸引力の低下を、その温度上昇に伴う前記熱変形部の熱変形により、前記電磁石と前記ストッパとの間隔を変更して補完することで、電磁石において発生する吸引力の低下を補うことができる。
【図面の簡単な説明】
【００１１】
【図１】本発明の一実施例であるオルゴールにおける演奏機構部の構成を例示する斜視図である。
【図２】図１の演奏機構部を第１軸の軸心方向に視た図である。
【図３】図２に示す構成の斜視図である。
【図４】図１に示す演奏機構部が筐体内に収容された様子を説明する概略図である。
【図５】本実施例のオルゴールの電気的構成図である。
【図６】図１のオルゴールにおいてホルダに組み付けられた電磁石及び熱変形部について詳しく説明する図である。
【図７】温度の変化に伴う熱変形部の熱変形について説明する図である。
【図８】電磁石の温度に応じた吸引力の変化について説明するグラフである。
【図９】電磁石と磁性部材との間隔に応じた吸引力の変化について説明するグラフである。
【図１０】図１のオルゴールに好適に備えられる熱変形部の他の一例を説明する図である。
【図１１】図１のオルゴールに好適に備えられる熱変形部の更に別の一例を説明する図である。
【図１２】図１のオルゴールに好適に備えられる熱変形部の更に別の一例を説明する図である。
【図１３】図１のオルゴールに好適に備えられる熱変形部の更に別の一例を説明する図である。
【発明を実施するための形態】
【００１２】
以下、本発明の好適な実施例を図面に基づいて詳細に説明する。
【実施例】
【００１３】
図１は、本発明の一実施例であるオルゴール１０における演奏機構部１００の構成を斜め上方から視た様子を例示する斜視図である。本実施例において、オルゴール１０の上方とは、オルゴール１０が図示しない設置平面部に設置される際の上方（略鉛直上方）をいう。図１において、この方向を矢印Ｕで示している。図１に示すように、本実施例のオルゴール１０は、第１軸１２を中心として回転可能に設けられた複数（例えば、４０個）のスターホイール１４を備えている。第１軸１２に沿って設けられた振動板１６を備えている。振動板１６には、複数のスターホイール１４にそれぞれ対応する複数の振動弁１８が第１軸１２に沿って設けられている。第１軸１２と並んで第２軸２６、第３軸２０が設けられている。好適には第１軸１２と平行に第２軸２６、第３軸２０が設けられている。第３軸２０を中心として回動可能に設けられた、複数のスターホイール１４にそれぞれ対応する複数のストッパ２２を備えている。複数のストッパ２２にそれぞれ対応する複数の電磁石２４を備えている。第２軸２６に相対回転不能に設けられてその第２軸２６と一体的に回転させられる複数のサンホイール２８を備えている。複数のサンホイール２８は、複数のスターホイール１４にそれぞれ対応する。フレーム３０により、第１軸１２及び第２軸２６は、それぞれの軸心まわりの回転可能に支持され、第３軸２０は、回転不能に支持される。複数の電磁石２４は、ホルダ２５に組み付けられている。ホルダ２５は、フレーム３０に取り付けられている。
【００１４】
オルゴール１０は、第１軸１２及び第２軸２６をそれぞれの軸心まわりに同期して回転駆動するための駆動力を発生させる駆動部としてのモータ３２を備えている。モータ３２は、例えば、コイルに印加される電圧（コイルに流される電流）に応じてその出力（出力トルク、回転速度）が制御される公知の電動機である。好適には、モータ３２の出力軸のトルクが、よく知られたギヤ機構等を介して第１軸１２及び第２軸２６に伝達される。好適には、モータ３２が第２軸２６を駆動する。第２軸２６と第１軸１２は、よく知られたギヤ機構等を介して同期して回転させられるように構成されている。モータ３２により第２軸２６が駆動されると、第２軸２６の駆動に連動して第１軸１２が駆動される。モータ３２は、好適には、第１軸１２及び第２軸２６を等しい回転速度（回転角速度）で回転駆動する。すなわち、スターホイール１４とサンホイール２８とは、モータ３２の出力に対応してそれぞれの回転速度が等しくなるようにギヤ比が設定されている。或いは、第１軸１２及び第２軸２６それぞれに対応して個別のモータが備えられ、それらが同じ回転速度で各軸を回転駆動するものであってもよい。複数の振動弁１８は、予め定められた複数の音階にそれぞれ対応し、後述するようにスターホイール１４の爪３６により弾かれることで対応する音階の音を奏でるように構成されている。オルゴール１０において、図１のように構成された演奏機構部１００は、フレーム３０等が後述する筐体３４に組み付けられることで、その筐体３４の内部に収容される。
【００１５】
図２は、オルゴール１０の演奏機構部１００におけるスターホイール１４、ストッパ２２、及びサンホイール２８等の構成を説明するために、それらの構成を第１軸１２の軸心方向に視た図である。図３は、図２に示すスターホイール１４、ストッパ２２、及びサンホイール２８等の構成を斜め上方から視た様子を示す斜視図である。図３においては、複数のスターホイール１４のうち２つのスターホイール１４ａ、１４ｂと、それらに対応するストッパ２２ａ、２２ｂ及び電磁石２４ａ、２４ｂ等を例示している。個々のスターホイール１４ａ、１４ｂを特に区別しない場合には単にスターホイール１４として図示している。個々のストッパ２２ａ、２２ｂを特に区別しない場合には単にストッパ２２として図示している。個々のサンホイール２８ａ、２８ｂ、２８ｃを特に区別しない場合には単にサンホイール２８として図示している。スターホイール１４とストッパ２２とが対応するとは、そのストッパ２２の停止状態（係止状態）においてそのスターホイール１４の回転が停止（係止）されることをいう。スターホイール１４とサンホイール２８とが対応するとは、そのスターホイール１４のギヤ部３８とそのサンホイール２８の外周歯４０とが相互に噛み合うことをいう。図２においては、ホルダ２５等を省略して示している。図３においては、スターホイール１４ａ、１４ｂに対応するサンホイール２８ａ、２８ｂを例示すると共に、そのサンホイール２８ｂに隣接するサンホイール２８ｃを併せて示している。隣接するサンホイール２８とは、第２軸２６に沿ってその軸を中心に並んで配置されているサンホイール２８をいう。図３においては、振動板１６及びフレーム３０等の図示を省略すると共に、第１軸１２、第３軸２０、ホルダ２５、及び第２軸２６それぞれの一部を省略して示している。
【００１６】
図２及び図３に示すように、スターホイール１４は、径方向外側に向けて放射状に複数の爪３６を備えている。好適には、スターホイール１４の周方向に等位相で４つの爪３６を備えている。すなわち、スターホイール１４の周方向に９０°毎に爪３６が設けられている。スターホイール１４は、爪３６よりも内周側（径方向内側）に、径方向外側に向けて複数のギヤ部３８を備えている。好適には、各爪３６に対応する位置に２歯ずつの突出部としてのギヤ部３８を備えている。すなわち、スターホイール１４は、ギヤ部３８と、径方向外側の周の一部にサンホイール１４の歯と噛み合わされない間欠部分とを有する間欠歯車を備えている。スターホイール１４は、内周側に組付穴を備えており、組付穴に第１軸１２が挿入されることで、第１軸１２に取り付けられる。ギヤ部３８は、複数のスターホイール１４が第１軸１２に沿って配置される間に配置されている。すなわち、ギヤ部３８は、第１軸１２の軸方向に関して、爪３６とは異なる位置に配置される。具体的には、軸方向に関して相互に隣接する爪３６相互間に配置される。サンホイール２８は、径方向外側に向けて複数の外周歯４０を備えて構成されている。すなわち、外周部に複数の歯を備えた歯車である。図２に示すように、スターホイール１４が第１軸１２に取り付けられた状態において、爪３６は、第１軸１２の軸心を中心とするその回転軌跡が対応する振動弁１８の少なくとも一部に接触する位置に設けられている。且つ、爪３６は、対応するストッパ２２の停止状態においてそのストッパ２２に停止される位置に設けられている。この停止される位置とは、爪３６がストッパ２２に当接されられた状態において、スターホイール１４の第１軸１２の回転への追従回転を阻止する位置である。すなわち、爪３６は、振動板１６における振動弁１８を弾くと共に、ストッパ２２と接触することで、係止部材として機能する。係止部材は、スターホイール１４の第１軸１２の回転に伴う追従回転を阻止する。ギヤ部３８は、第１軸１２の軸心を中心とするその回転軌跡が対応するサンホイール２８の外周歯４０と噛み合わされる位置に設けられている。
【００１７】
図２に破線で囲繞した部分を用いて拡大して示すように、サンホイール２８の外周歯４０には面取り４２が付けられている。面取り４２は、好適には、外周歯４０の先端部における軸方向の両側部に施されたものである。スターホイール１４の外周部には面取り４４が付けられている。面取り４４は、好適には、スターホイール１４の外径稜線に施されたものである。スターホイール１４の外径稜線とは、スターホイール１４における外周面における軸方向両端部である。サンホイール２８及びスターホイール１４の回転に従って、サンホイール２８の外周歯４０のエッジがスターホイール１４の外径の稜線に重なる際、面取り４２、４４が付けられていることで、後述するスターホイール１４の外周面等と相互に干渉することなくスムースに入り込む。サンホイール２８の外周歯４０のエッジは、外周歯４０の軸方向における両端部である。
【００１８】
図４は、図１に示す本実施例のオルゴール１０における演奏機構部１００が筐体３４内に収容された様子を説明する概略図である。図４に示すように、オルゴール１０は、第１軸１２、複数のスターホイール１４、振動板１６、第３軸２０、複数のストッパ２２、複数の電磁石２４、第２軸２６、複数のサンホイール２８等の構成を収容する筐体３４を備えている。すなわち、図１のように構成された演奏機構部１００は、フレーム３０等が筐体３４に組み付けられることで、筐体３４の内部に収容されている。図４に一点鎖線Ｌで示すように、好適には、第３軸２０の中心と、複数の電磁石２４のうち少なくとも一部は、筐体３４の底面３４ａに沿った同一平面上に配置されたものである。筐体３４の上側平面部には、その筐体３４内部の様子を視認するためののぞき窓３４ｂが設けられている。こののぞき窓３４ｂには、ガラス板等の透明な材料による蓋部（非図示）が設けられる。
【００１９】
図２に示すように、ストッパ２２は、好適には、ストッパ２２が第３軸２０を中心としてスターホイール１４に向けて回動させられることでスターホイール１４における少なくとも１つの爪３６に当接させられる板部材５０を備えている。電磁石２４の励磁状態において、その電磁石２４の磁力によりストッパ２２を第１回動方向すなわちスターホイール１４から離隔させられる方向へ回動させる作用を発生させる磁性部材５２を備えている。磁性部材５２は、例えば、鉄、コバルト、ニッケル等の鉄属元素を主成分とする金属である。磁性部材５２は、好適には特に磁化されていない鉄板であるが、磁化された所謂永久磁石であってもよい。ストッパ２２において、磁性部材５２は、板部材５０と一体的に設けられたエンジニアリングプラスチック等の合成樹脂部材５４にインサート成形されたものである。
【００２０】
図１に示すように、複数の電磁石２４は、複数の振動弁１８の配列方向に沿って並列に配置されている。電磁石２４は、好適には、鉄等の磁性材料である芯部２４ａの周囲に円筒状のコイルすなわち巻線部２４ｂを備えている。電磁石２４は、そのコイルに電流が流されることで励磁状態とされ、磁界が発生される。磁界が発生されることにより、電磁石２４は磁力を発生する。一方、コイルに電流が流されないと非励磁状態とされるよく知られた一般的な電磁石である。本実施例においては、電磁石２４のコイルに電流が流された状態が第１状態に相当する。電磁石２４のコイルに電流が流されない状態が、少なくとも第１励磁状態より磁力が弱い例えば非励磁状態である第２状態に相当する。
【００２１】
図２に示すように、電磁石２４は、各ストッパ２２に対応して設けられている。ストッパ２２における磁性部材５２の近傍に設けられている。電磁石２４は、磁性部材５２と非接触に設けられている。すなわち、図６を用いて後述するように、電磁石２４とストッパ２２とは、相互に最も接近した状態において非接触とされるものである。換言すれば、ストッパ２２は、後述する停止状態及び非停止状態の何れにおいても、磁性部材５２と電磁石２４との間に所定の間隔ｄがあくように構成されたものである。この間隔ｄは、好適には、電磁石２４の励磁状態において、その電磁石２４の磁力作用を磁性部材５２に及ぼし得る範囲内とされる。例えば、電磁石２４とストッパ２２とが相互に最も離隔させられた状態においても、電磁石２４の励磁状態においてはその電磁石２４の磁力により、ストッパ２２の磁性部材５２が引き付けられるように間隔ｄが設計される。すなわち、ストッパ２２をスターホイール１４から離隔させる方向に回動させる引力が発生させられるように、間隔ｄが設計される。電磁石２４の軸心（芯部２４ａの中心軸）は、ストッパ２２の回動中心すなわち第３軸２０の軸心と交わる位置関係とされる。
【００２２】
図２及び図３に示すように、ストッパ２２は、好適には、スナップばね（ねじりコイルばね）５６を備えている。スナップばね５６は、ストッパ２２をスターホイール１４に向けて回動させる方向に付勢する付勢部材である。ストッパ２２及び板部材５０は、好適には、電磁石２４の非励磁状態においては、スナップばね５６により付勢されることでスターホイール１４に向けて回動させられる。非励磁状態とは、電磁石２４が、コイルに電流が流されない状態の他、スナップばね５６によりストッパ２２が回動させられる付勢力よりも小さい磁力が発生される程度の電流がコイルに流された状態であってもよい。そして、板部材５０は、スターホイール１４に設けられた複数の爪３６の少なくとも１つを停止する停止状態とされる。この停止状態が、スターホイール１４の爪３６が所定の位置で停止する待機位置に相当する。一方、電磁石２４の励磁状態においては、ストッパ２２及び板部材５０は、電磁石２４の磁力によりスナップばね５６による付勢に逆らって第３軸２０を中心として第１回動方向、すなわち、スターホイール１４から離隔させられる方向に回動させられる。そして、電磁石２４による磁力に応じた磁性部材５２を引き付ける力（吸引力）により、電磁石２４と磁性部材５２とが対向した位置においてストッパ２２が停止される。すなわち、板部材５０による爪３６の停止が解除される非停止状態とされる。この非停止状態が、ストッパ２２によるスターホイール１４の停止が解除された状態に相当する。
【００２３】
図２及び図３に示すように、複数の電磁石２４及び各電磁石２４に対応するストッパ２２は、好適には、第１群に属する複数の電磁石２４及びストッパ２２と、第２群に属する複数の電磁石２４及びストッパ２２とが、第１軸１２の軸心を中心とする周方向に９０°の位相差で（すなわち相互に９０°の角度を成す位置に）配設されている。好適には、複数の電磁石２４のうち最も端に設けられた電磁石２４から他端側へ向かって１からｎ（他端における電磁石２４に対応）までの数値を付した場合、奇数を付された複数の電磁石２４が前記第１群に、偶数を付された複数の電磁石２４が前記第２群にそれぞれ属する。すなわち、本実施例のオルゴール１０において、好適には、例えば図３に示すスターホイール１４ａ、１４ｂのように、相互に隣接するスターホイール１４にそれぞれ対応する電磁石２４（図３においては電磁石２４ａ、２４ｂ）が、第１軸１２の軸心を中心とする周方向に９０°の位相差で交互に配設されている。
【００２４】
以上のように構成されたオルゴール１０における演奏機構部１００の具体的な作動について説明する。オルゴール１０による演奏時において、第１軸１２及び第２軸２６は、モータ３２の駆動により常時それぞれの軸心まわりに同期的に回転させられている。第１軸１２及び第２軸２６は、相互に逆回りに回転駆動されており、好適には、第１軸１２はスターホイール１４に設けられた爪３６が振動板１６の振動弁１８を下方から上方に向けて弾く方向に回転される。第２軸２６はサンホイール２８の外周歯４０とスターホイール１４のギヤ部３８とが噛み合った状態において、スターホイール１４を回転駆動する方向にそれぞれ回転させられている。複数のサンホイール２８は、第２軸２６に対して相対回転不能に設けられているため、オルゴール１０による演奏時においては、第２軸２６の軸心まわりの回転に伴い常時それぞれの軸心まわりに回転させられている。
【００２５】
対応する電磁石２４に対する通電が行われず、電磁石２４が非励磁状態とされている場合には、ストッパ２２の板部材５０は、スナップばね５６により付勢される。これにより、ストッパ２２は、スターホイール１４側に回動させられ、スターホイール１４に設けられた複数の爪３６の少なくとも１つを停止する停止状態とされる。すなわち、複数の爪３６の少なくとも１つにおける第１軸１２の回転方向側（回転が進む側）に、板部材５０における先端部が当接させられる。スターホイール１４は、第１軸１２との接触部位における摩擦力により、第１軸１２に追従回転させられるように構成されている。ストッパ２２が停止状態とされている場合には、接触部位における摩擦力に逆らってスターホイール１４の第１軸１２に対する追従回転が阻止される。換言すれば、第１軸１２の軸心を中心とするスターホイール１４の位相（振動弁１８等に対する位置関係）が固定されたまま、そのスターホイール１４における組付穴と第１軸１２との接触面が軽い負荷をもって滑りつつそれらが相対回転させられる状態となる。斯かる状態においては、スターホイール１４におけるギヤ部３８はサンホイール２８における外周歯４０と噛み合わない位置とされ、サンホイール２８の回転はスターホイール１４の回転に影響しない。すなわち、第１軸１２を中心に回転するスターホイール１４がストッパ２２により待機位置で停止させられるとき、サンホイール２８の外周歯４０は、スターホイール１４の間欠部分において空転させられる。
【００２６】
前記状態から、電磁石２４に対する通電が行われると、通電された電磁石２４が励磁状態とされる。そして、ストッパ２２の板部材５０が電磁石２４の磁力によりスナップばね５６による付勢に逆らって第３軸２０を中心としてスターホイール１４から離隔させられる方向（第１回動方向）に回動させられる。これにより、板部材５０による爪３６の停止が解除される非停止状態とされる。すなわち、スターホイール１４が、第１軸１２との接触部位における摩擦力によりその第１軸１２に追従回転させられる状態とされる。
【００２７】
ストッパ２２が非停止状態とされ、スターホイール１４が、第１軸１２との接触部位における摩擦力によりその第１軸１２に追従回転させられる。すると、複数の爪３６のうち１つの爪３６が振動板１６の振動弁１８に接触させられる位相付近において、爪３６に隣接する回転方向側（すなわち回転方向に９０°の位相差で設けられた）の爪３６に対応するギヤ部３８がサンホイール２８の外周歯４０と噛み合わされる。この状態においては、サンホイール２８の回転によりスターホイール１４が、爪３６が振動板１６の振動弁１８を下方から上方に向けて弾く方向に駆動される。すなわち、サンホイール２８の外周歯４０とスターホイール１４のギヤ部３８とが噛み合わされた状態において、スターホイール１４の爪３６が対応する振動弁１８を弾く。斯かる作動によって振動弁１８が爪３６により弾かれ、振動弁１８に対応する音階の音が奏でられる。そのようにして振動弁１８を弾いた後、スターホイール１４が更に第１軸１２に追従回転させられ、サンホイール２８が、第２軸２６に追従回転させられることでギヤ部３８とサンホイール２８の外周歯４０とが再び噛み合わない状態となる。ギヤ部３８と外周歯４０とが噛み合った状態から、噛み合わない状態への移行過程において電磁石２４の通電が停止され、電磁石２４が非励磁状態とされる。これにより、スナップばね５６の付勢によりストッパ２２がスターホイール１４に向けて回動させられ、再び前記停止状態に復帰させられる。
【００２８】
図４に示すように、オルゴール１０は、複数の電磁石２４それぞれの励磁乃至非励磁を切り替える制御をはじめとする、オルゴール１０の作動に関する各種制御を行う制御部６０を備えている。図５は、オルゴール１０の電気的構成図である。オルゴール１０は、筐体３４内に、制御部６０を備える。制御部６０は、図４に示すように、ＣＰＵ６２と、フラッシュメモリ６４と、ＲＡＭ６６とを備える。ＣＰＵ６２は、例えばＡＳＩＣなどの集積回路であってもよい。また、複数の電磁石２４と、モータ３２と、フラッシュメモリ６４と、ＲＡＭ６６と、ＳＤカードリーダ７２と、電源７４とが、ＣＰＵ６２に接続される。フラッシュメモリ６４には、ＣＰＵ６２により実行されるプログラムが記憶される。なお、プログラムは、所定のサーバによりダウンロードされて、フラッシュメモリ６４に記憶されても良い。フラッシュメモリ６４に記憶されるプログラムに従って、ＣＰＵ６２は、オルゴール１０を動作させる。ＲＡＭ６６は、ＣＰＵ６２により演算されるデータが一時的に記憶される。
【００２９】
ＳＤカードリーダ７２は、ＳＤカード（Secure Digital Card）６８から情報の読み出し、又は、ＳＤカード６８への情報の書き込みを行う。ＣＰＵ６２からの指令に従って、ＳＤカードリーダ７２は、ＳＤカード６８からの情報の読み出し、又は、ＳＤカード６８への情報の書き込みを行う。ＳＤカードリーダ７２には、ＳＤカード６８が挿入される。ＳＤカード６８には、楽曲データベース（楽曲ＤＢ）７０が記憶される。楽曲データベース７０には、複数の楽曲データが記憶される。本実施形態では、楽曲データは、例えば、ＭＩＤＩ（Musical Instrument Digital Interface）データである。ＭＩＤＩデータは、予め定められた複数種類の楽器毎に、その楽器に対応する音の出力タイミング及び音階等が定められた複数のチャンネルを含む。楽曲の演奏速度に対応するテンポに関する情報を含んでいる。以下、楽曲データとして、ＭＩＤＩデータを用いた例を説明する。ＣＰＵ６２は、ＳＤカードリーダ７２により、ＳＤカード６８等の記憶媒体に記録されたデータを読み取り可能である。
【００３０】
ＣＰＵ６２は、オルゴール１０の演奏機構部１００による演奏を制御する。具体的には、複数のストッパ２２それぞれによるスターホイール１４における爪３６の係止を解除するタイミングを判定する。換言すれば、複数のストッパ２２それぞれに対応する電磁石２４の励磁乃至非励磁を切り替えるタイミング（電磁石２４の通電を実行乃至停止するタイミング）を判定する。例えば、楽曲データベース７０に記憶された複数の楽曲データのうち所定の楽曲データに対応する曲の演奏において、その楽曲データに定められた音の出力タイミング及び音階に基づいて前記判定を行う。具体的には、各音階に対応する複数の振動弁１８を楽曲データに定められた出力タイミングで弾くために、ストッパ２２によるスターホイール１４における爪３６の係止を解除するタイミングを判定する。
【００３１】
ＣＰＵ６２は、前記判定結果に基づいて、複数の電磁石２４それぞれの励磁乃至非励磁を切り替える。すなわち、複数の電磁石２４それぞれの通電を実行乃至停止する制御を行う。具体的には、ストッパ２２によるスターホイール１４における爪３６の係止を解除するタイミングが判定された場合、そのタイミングで対応する電磁石２４を非励磁状態から励磁状態へ切り替える。すなわち、斯かるタイミングで電磁石２４の通電を開始する。この電磁石２４の励磁状態への切り替えに関して、ＣＰＵ６２は、電磁石２４に定電圧制御を行う。すなわち、電源７４から電磁石２４に対して所定電圧（音階やタイミングによらない一定の電圧）の電力を供給する定電圧制御を行うことで、電磁石２４を励磁状態へ切り替える。換言すれば、ストッパ２２によるスターホイール１４における爪３６の係止を解除するタイミングが判定された場合、そのタイミングで対応する電磁石２４に予め定められた一定の電圧をかけることで、電磁石２４を励磁してストッパ２２による爪３６の係止を解除する。ＣＰＵ６２は、好適には、電磁石２４を非励磁状態から励磁状態へ切り替えた後、予め定められた規定時間経過後にその電磁石２４を励磁状態から非励磁状態へ切り替える。すなわち、斯かるタイミングで電磁石２４の通電を停止させる。
【００３２】
図６は、ホルダ２５に組み付けられた電磁石２４及び熱変形部８０について詳しく説明する図である。図６に示すように、電磁石２４は、ストッパ２２との間に所定の間隔ｄをあけて保持されている。すなわち、電磁石２４の芯部（鉄芯部）２４ａにおけるストッパ２２側の端部と、ストッパ２２の磁性部材５２における電磁石２４側の端部との間には、所定の間隔ｄがあけられている。換言すれば、ホルダ２５は、電磁石２４とストッパ２２との間に所定の間隔ｄがあくように電磁石２４を保持する。図６においては、電磁石２４が励磁状態とされてストッパ２２が非係止状態とされた場合における磁性部材５２及び合成樹脂部材５４を破線で示している。この状態では、磁性部材５２と、電磁石２４における芯部２４ａの先端とが最も接近させられるが、図６に示すように、この状態においても電磁石２４と磁性部材５２との間には間隔ｄの空間が存在し、非接触とされる。好適には、磁性部材５２における電磁石２４側の面は第３軸２０を中心とする部分円筒状の曲面５２ａとされている。このため、係止部材２２が第３軸２０まわりに回動させられても、電磁石２４と磁性部材５２との間隔ｄが変化しないように構成されている。一方、以下に詳述するように、電磁石２４とストッパ２２との間隔ｄは、熱変形部８０の変形により変更される。すなわち、ホルダ２５は、電磁石２４を、ストッパ２２との間隔ｄを変更可能に保持する。
【００３３】
図６に示すように、ホルダ２５には、熱変形部８０が取り付けられている。熱変形部８０は、例えば、所定の長さ寸法及び厚さ寸法を備えた板状に構成されている。熱変形部８０は、第１部材と、前記第１部材より熱変形比率が大きい第２部材とから構成されている。本実施例において、熱変形比率とは、各部材の熱変形係数（例えば、熱膨張係数）と厚み寸法とによって定まる値であり、図７を用いて後述する。熱変形部８０は、好適には、第１部材と、前記第１部材より熱膨張係数（熱膨張率）が大きい第２部材とから構成されている。例えば、熱膨張係数の異なる２種類の金属板が圧延法等により相互に貼り合わされ、温度が変化したときに湾曲するように構成された公知のバイメタル（bimetal）である。第１部材としては例えばインバー等の熱膨張率が比較的小さな合金が、第２部材としては例えばニッケル−クロム−鉄合金、ニッケル−マンガン−鉄合金、マンガン−銅−ニッケル合金等の熱膨張率が比較的大きな合金が、それぞれ好適に用いられる。
【００３４】
熱変形部８０は、電磁石２４の通電により生じた熱が伝えられ、伝えられる熱による温度が高いほど大きく熱変形し、電磁石２４を、熱変形に応じてストッパ２２との間隔ｄが狭くなる方向に動かす位置に配置されている。すなわち、熱変形部８０は、電磁石２４の巻線部２４ｂの発熱の影響を受ける位置、換言すれば電磁石２４から直接乃至間接に熱伝導が行われる位置に配置されている。熱変形部８０の少なくとも一部は、ホルダ２５に係止（固定）されている。熱変形部８０は、好適には、電磁石２４の端部であって、ストッパ２２との間隔ｄがある側とは逆側の端部に配置されている。例えば、図６に示すように、熱変形部８０には厚み方向に貫通して穴部８０ａが設けられており、電磁石２４の芯部２４ａがその穴部８０ａに挿通されている。これにより、熱変形部８０は、電磁石２４における巻線部２４ｂの端部であって、ストッパ２２との間隔ｄがある側とは逆側の端部に配置されている。好適には、電磁石２４における巻線部２４ｂの端部であって、ストッパ２２との間隔ｄがある側とは逆側の端部に、熱変形部８０の少なくとも一部が接触するように配置されている。更に好適には、電磁石２４における巻線部２４ｂの端部に、熱変形部８０の少なくとも一部が密着（面接触）させられている。斯かる構成により、電磁石２４における巻線部２４ｂから熱変形部８０へ好適に熱伝導が行われる。或いは、１つの電磁石２４に対応して１対の熱変形部８０が備えられ、電磁石２４における巻線部２４ｂの端部に、各熱変形部８０の少なくとも一部が密着させられたものであってもよい。
【００３５】
熱変形部８０に形成された穴部８０ａは、電磁石２４の芯部２４ａの外径寸法よりも大きく構成されている。好適には、熱変形部８０の長手方向と同方向に長手状となるように形成された長穴である。熱変形部８０は、好適には、熱変形による形状の変化によらず、常にその一部が電磁石２４における巻線部２４ｂの端部に接触（当接）する配置とされている。すなわち、熱変形部８０の熱変形による荷重が電磁石２４における巻線部２４ｂに加えられる構成とされている。熱変形部８０が熱変形した場合、穴部８０ａと芯部２４ａとの相対位置は変化するが、穴部８０ａが例えば前記のような長穴とされていることで、芯部２４ａが熱変形部８０の変形を阻害しない構成とされている。熱変形部８０が電磁石２４に接着等されておらず、温度上昇により熱変形部８０が熱変形した後、温度が低下して熱変形部８０が元の形状に戻った場合に、熱変形部８０の温度低下に追従して電磁石２４が元の位置に復帰させられない構成においては、温度低下後に電磁石２４を元の位置に復帰させるための構成が設けられる。例えば、電磁石２４の巻線部２４ｂとホルダ２５の壁部２５ａとの間に、壁部２５ａから離隔する方向へ巻線部２４ｂを付勢する弾性部材等が設けられる。
【００３６】
図６に示すように、電磁石２４は、ホルダ２５におけるストッパ２２側の壁部２５ａに貫通して設けられた穴部２５ｂに、芯部２４ａが挿通されてホルダ２５に組み付けられている。斯かる構成においては、熱変形部８０の熱変形により、電磁石２４が、ストッパ２２との間隔ｄが狭くなる方向に動かされたとしても、巻線部２４ｂが壁部２５ａに当接することで、それ以上ストッパ２２との間隔ｄが狭くなる方向へは動かなくなる。すなわち、電磁石２４の、熱変形部８０の熱変形に応じたストッパ２２との間隔ｄが狭くなる方向への移動に関して、移動量が制限されている。換言すれば、電磁石２４とストッパ２２との間隔ｄは、所定距離以上となるように（所定距離未満とはならないように）構成されている。この所定距離は０よりも大きい。すなわち、電磁石２４の巻線部２４ｂが壁部２５ａに突き当たった状態において、電磁石２４とストッパ２２との間隔ｄが０よりも大きくなるように（ｄ＞０）、ストッパ２２、電磁石２４、及びホルダ２５等の相対位置関係が定められている。
【００３７】
熱変形部８０は、好適には、電磁石２４と面する側に前記第１部材が設けられたものである。すなわち、前記第１部材が電磁石２４側（ストッパ２２側）、前記第２部材がその逆側となるように配置されている。換言すれば、電磁石２４の通電により生じた熱が伝えられ、熱が伝えられた電磁石２４の温度が高いほど電磁石２４側に大きく湾曲することにより、電磁石２４をストッパ２２との間隔ｄが狭くなる方向に動かす位置に配置されている。
【００３８】
図７は、温度の変化に伴う熱変形部８０の熱変形について説明する図である。図７に示す熱変形部８０は、図面下側に第１部材、図面上側に第２部材がそれぞれ設けられたものであり、温度の上昇に応じて図面下側に向かって湾曲する。熱変形部８０が、長手板状に構成されたバイメタルであり、その長さ寸法がＬ（ｍｍ）、厚さ寸法がｔ（ｍｍ）、湾曲定数（熱変形係数）がｋ（１０-6／℃）である場合、温度変化量ΔＴ（Ｋ）に対応する湾曲量Ｄ（ｍｍ）は、次の（１）式で表される。すなわち、熱変形部８０の熱変形比率は、部材の長さ寸法Ｌ、厚さ寸法ｔ、及び湾曲定数ｋによって定まり、温度変化量ΔＴが大きいほど湾曲量Ｄは大きくなる。換言すれば、熱変形部８０の長さ寸法Ｌ、厚さ寸法ｔ、及び湾曲定数ｋが定まれば、温度変化量ΔＴに対応する湾曲量Ｄは予め求められる。この湾曲量Ｄと、熱変形部８０の熱変形による電磁石２４の移動距離（間隔ｄが狭くなる方向への移動距離）との関係は、電磁石２４と熱変形部８０との相対位置によって異なるが、相対位置が定まれば、温度変化量ΔＴに対応する湾曲量Ｄに応じた電磁石２４の移動距離は予め求められる。
【００３９】
Ｄ＝ｋ×Ｌ2×ΔＴ／ｔ  ・・・（１）
【００４０】
図８は、電磁石２４の温度に応じた吸引力の変化について説明するグラフである。この図８に示すように、電磁石２４は、通電に起因する温度変化量に対応して抵抗値が低下することにより、吸引力が低下する。電磁石２４の巻線部２４ｂにおける巻線の温度変化に伴う、巻線電流の変化は、温度変化前の電流をＩ1、温度変化後の電流をＩ2、変化前の温度をＴ1（℃）、変化後の温度をＴ2（℃）として、次の（２）式で表される。斯かる温度変化に伴う、電磁石２４の吸引力の変化はその二乗となり、温度変化前の吸引力をＦ1、温度変化後の吸引力をＦ2として、次の（３）式で表される。
【００４１】
Ｉ2／Ｉ1＝（２３４．５＋Ｔ1）／（２３４．５＋Ｔ2）  ・・・（２）
Ｆ2／Ｆ1＝（Ｉ2／Ｉ1）2
＝｛（２３４．５＋Ｔ1）／（２３４．５＋Ｔ2）｝2  ・・・（３）
【００４２】
図９は、電磁石２４と磁性部材５２との間隔に応じた吸引力の変化について説明するグラフである。この図９に示すように、電磁石２４の吸引力すなわち励磁状態における磁力により磁性部材５２を引きつける力は、電磁石２４と磁性部材５２との間の距離が大きいほど低下する。電磁石２４と磁性部材５２との間隔の変化に伴う、電磁石２４の吸引力の変化は、間隔変化前の吸引力をＦ1′、間隔変化後の吸引力をＦ2′、変化前の間隔をＰ1、変化後の間隔をＰ2として、次の（４）式で表される。
【００４３】
Ｆ2′／Ｆ1′＝（Ｐ1／Ｐ2）2  ・・・（４）
【００４４】
熱変形部８０は、好適には、電磁石２４の通電に起因する温度上昇に伴って熱変形することにより、ストッパ２２の磁性部材５２に対する温度上昇に伴う電磁石２４の吸引力の低下を、通電開始時の電磁石２４とストッパ２２との距離を短くする方向に、図６に示す前記所定の間隔ｄを補正し、温度上昇する前の電磁石２４の吸引力と、通電されて温度上昇した後の電磁石２４の吸引力とを略同等とするように構成されている。換言すれば、電磁石２４の通電に起因する温度変化量をΔＴ、その温度変化量ΔＴに対応する電磁石２４の吸引力低下を補完する、電磁石２４とストッパ２２の磁性部材５２との短縮距離をＤとして、前述の（１）式が満たされるように熱変形部８０の長さ寸法Ｌ、厚さ寸法ｔ、及び湾曲定数ｋが定められている。
【００４５】
電磁石２４の通電時における温度変化は、予め実験的に求められる。例えば、前記定電圧制御により電磁石２４の励磁のために、所定時間内に電磁石２４に一定の電圧がかけられた回数と、電磁石２４における温度上昇（温度変化量）との関係は、予め実験的に求められる。電磁石２４の温度変化に伴う、巻線電流の変化は、例えば、前述した（２）式から求められる。その巻線電流の変化に伴う、電磁石２４の吸引力の変化は、例えば、前述した（３）式から求められる。この吸引力の低下を補完する、電磁石２４とストッパ２２の磁性部材５２との短縮距離は、（４）式及び図９を用いて前述した関係を用いて、（１）式から求められる。例えば、電磁石２４の通電に起因する温度上昇がない場合の温度を２５（℃）、通電に起因する温度変化量（温度上昇）ΔＴが２５（Ｋ）である場合を考える。この温度変化量ΔＴに対応する電磁石２４の吸引力の変化は、前述した（３）式から、約２０％の低下であると求められる。（４）式及び図９を用いて前述した関係から、電磁石２４の吸引力を約２０％上昇させるためには、電磁石２４とストッパ２２（磁性部材５２）との間隔を約１０％短縮すればよいことが求められる。電磁石２４の通電に起因する温度上昇がない場合における、電磁石２４とストッパ２２（磁性部材５２）との間隔が１．５０（ｍｍ）である場合、その１０％の短縮は０．１５（ｍｍ）の短縮に相当する。例えば、熱変形部８０の長さ寸法Ｌが２０（ｍｍ）、厚さ寸法ｔが１（ｍｍ）、及び湾曲定数ｋが１５（１０-6／℃）である場合、前述した（１）式から湾曲量Ｄは０．１５（ｍｍ）と求められる。すなわち、斯かる態様の熱変形部８０を用いることで、電磁石２４の通電に起因する温度上昇に伴って電磁石２４の吸引力が約２０％低下した際、その温度上昇に伴う熱変形部８０の変形による前記所定の間隔ｄの短縮によって電磁石２４の吸引力を約２０％上昇させることができ、温度上昇する前の電磁石２４の吸引力と、通電されて温度上昇した後の電磁石２４の吸引力とを同等とすることができる。
【００４６】
本発明において、熱変形部の形状及び配置は、図６を用いて前述した構成には限られない。以下、熱変形部の形状及び配置の他の構成例を、図１０〜図１３を用いて説明する。実施例相互に共通する部分については、同一の符号を付してその説明を省略する。
【００４７】
図１０は、オルゴール１０に好適に備えられる熱変形部の他の一例を説明する図である。本実施例の熱変形部８２は、電磁石２４の通電に起因する温度上昇がない場合において、図１０に示すように湾曲しない平板状となるバイメタルである。図１０に示すように、熱変形部８２には厚み方向に貫通して穴部８２ａが設けられており、電磁石２４の芯部２４ａがその穴部８２ａに挿通されている。これにより、熱変形部８２は、電磁石２４における巻線部２４ｂの端部であって、ストッパ２２との間隔ｄがある側とは逆側の端部に配置されている。電磁石２４の通電に起因する温度上昇がない場合において、熱変形部８２は、電磁石２４の巻線部２４ｂの発熱の影響を受けるように、巻線部２４ｂに対して線接触乃至点接触させられている。熱変形部８２は、電磁石２４の通電により生じた熱が伝えられ、熱による熱変形部８２の温度が高いほど電磁石２４側に大きく湾曲することにより、電磁石２４をストッパ２２との間隔ｄが狭くなる方向に動かす位置に配置されている。
【００４８】
図１１は、オルゴール１０に好適に備えられる熱変形部の更に別の一例を説明する図である。この図１１に示すように、本実施例の熱変形部８４には厚み方向に貫通して穴部８４ａが設けられており、電磁石２４の芯部２４ａがその穴部８４ａに挿通されている。これにより、熱変形部８４は、電磁石２４における巻線部２４ｂの端部であって、ストッパ２２との間隔ｄがある側とは逆側の端部に配置されている。熱変形部８４は、温度が高いほど湾曲がなくなり平板状となるように（長手方向に真っ直ぐになるように）構成されたバイメタルである。電磁石２４の通電に起因する温度上昇がない場合において、熱変形部８４は、電磁石２４の巻線部２４ｂの発熱の影響を受けるように、巻線部２４ｂに対して線接触乃至点接触させられている。熱変形部８４は、電磁石２４の通電により生じた熱が伝えられ、熱による熱変形部８２の温度が高いほど湾曲がなくなり平板状となることにより、電磁石２４をストッパ２２との間隔ｄが狭くなる方向に動かす位置に配置されている。
【００４９】
図１２は、オルゴール１０に好適に備えられる熱変形部の更に別の一例を説明する図である。図１２においては、本実施例の熱変形部８６を一点鎖線で示している。この図１２に示すように、本実施例の熱変形部８６は、ばね状に構成されたバイメタルであり、温度が高いほどばねが伸びるように（軸心方向の寸法が長くなるように）構成されている。熱変形部８６は、電磁石２４における巻線部２４ｂの端部であって、ストッパ２２との間隔ｄがある側とは逆側の端部に配置されている。電磁石２４の芯部２４ａが、ばね状に構成された熱変形部８６に挿通されている。熱変形部８６は、電磁石２４の通電により生じた熱が伝えられ、熱（温度）が高いほど軸心方向に伸びることにより、電磁石２４をストッパ２２との間隔ｄが狭くなる方向に動かす位置に配置されている。
【００５０】
図１３は、オルゴール１０に好適に備えられる熱変形部の更に別の一例を説明する図である。この図１３に示すように、本実施例の熱変形部８８には厚み方向に貫通して穴部８８ａが設けられており、電磁石２４の芯部２４ａがその穴部８８ａに挿通されている。これにより、熱変形部８８は、電磁石２４における巻線部２４ｂの端部であって、ストッパ２２との間隔ｄがある側とは逆側の端部に配置されている。熱変形部８８は、電磁石２４と面する側に前記第２部材が設けられたものである。すなわち、前記第２部材が電磁石２４側（ストッパ２２側）、前記第１部材がその逆側となるように配置されている。熱変形部８８は、長手方向の両端部がホルダ２５における壁部２５ｃ（壁部２５ａとは逆側の壁部）に当接させられる配置とされている。熱変形部８８は、電磁石２４の通電により生じた熱が伝えられ、熱による電磁石２４の温度が高いほど電磁石２４とは反対側に大きく湾曲することにより、電磁石２４をストッパ２２との間隔ｄが狭くなる方向に動かす位置に配置されている。
【００５１】
このように、本実施例によれば、電磁石２４の通電による温度上昇に従って増加する巻線抵抗に伴う電磁石２４の吸引力の低下を、その温度上昇に伴う熱変形部８０等の熱変形により、電磁石２４とストッパ２２（磁性部材５２）との間隔ｄを変更して補完することで、電磁石２４において発生する熱の影響を低減させることができる。特に、複数の電磁石２４が並列に配置されている構成においては、隣接する電磁石２４の相互間で熱が影響しあうことが考えられるが、本実施例の構成によれば、隣接する電磁石２４により発生させられた熱に応じて熱変形部８０等が熱変形するため、斯かる場合においても好適に電磁石２４において発生する熱の影響を低減させることができる。
【００５２】
以上、本発明の好適な実施例を図面に基づいて詳細に説明したが、本発明はこれに限定されるものではなく、更に別の態様においても実施される。
【００５３】
本発明は、図１〜図１３等を用いて前述した構成に限定されるものではない。例えば、スターホイール１４に設けられる爪３６の数は４つには限定されず、周方向に９０°毎に設けられたものでなくともよい。スターホイール１４におけるギヤ部３８は、必ずしも爪３６に対応する位置に設けられたものでなくともよく、周方向に位相の異なる位置に設けられたものであってもよい。第１群に属する複数の電磁石２４及びストッパ２２と、第２群に属する複数の電磁石２４及びストッパ２２とが、第１軸１２の軸心を中心とする周方向に９０°の位相差で配設されたものでなくともよく、例えば全ての電磁石２４が同一平面上に一列に配設されたものであってもよい。逆に、爪３６がスターホイール１４の周方向に５つ以上設けられている場合等において、スターホイール１４に設けられた爪３６の数に応じて、複数の電磁石２４及びストッパ２２が、第１軸１２の軸心を中心とする周方向に所定の位相差で３つ以上の位相に対応する位置に配設されたものであってもよい。スターホイール１４を係止させるための構成として、各スターホイール１４に対応して２つ以上のストッパ２２が設けられたものであってもよい。制御部６０がインターネット等の通信回線に接続され、その通信回線を介して楽譜データをダウンロードして楽曲データベース７０に蓄積するものであってもよい。その他、スターホイール１４の形状、ストッパ２２の構成（板部材５０の形状）、及び各構成の相対位置等は、オルゴールの設計に応じて適宜変更される。例えば、ギヤ部３８は、必ずしも２歯ずつ設けられるものでなくともよく、爪３６が対応する振動弁１８を弾くために十分な距離及び時間だけサンホイール２８から駆動されればよく、１歯或いは３歯以上のギヤ部が設けられたものであってもよい。ストッパ２２は、電磁石２４の励磁状態において、電磁石２４の磁力によりストッパ２２を第１回動方向へ回動させる作用を発生させる磁性部材として永久磁石を備えても良い。永久磁石は、好適には、電磁石２４が励磁状態とされた場合に電磁石２４との間で反発力（同種の磁極間の斥力）が発生する位置で、板部材５０と一体的に設けられた合成樹脂部材５４にインサート成形されても良い。ストッパ２２の板部材５０が電磁石２４の磁力すなわちその電磁石２４と永久磁石との間の斥力によりスナップばね５６による付勢に逆らう。これにより、ストッパ２２は、第２軸２０を中心としてスターホイール１４から離隔させられる方向（第１回動方向）に回動させられ、板部材５０による爪３６の係止が解除される非係止状態とされる。
【００５４】
その他、一々例示はしないが、本発明はその趣旨を逸脱しない範囲内において種々の変更が加えられて実施されるものである。
【符号の説明】
【００５５】
１０：オルゴール、１２：第１軸、１４：スターホイール、１８：振動弁、２２：ストッパ、２４：電磁石、２５：ホルダ、３６：爪、６０：制御部、７４：電源、８０、８２、８４、８６、８８：熱変形部、ｄ：間隔
【図１】
0005904183.tif 000002
【図２】
0005904183.tif 000003
【図３】
0005904183.tif 000004
【図４】
0005904183.tif 000005
【図５】
0005904183.tif 000006
【図６】
0005904183.tif 000007
【図７】
0005904183.tif 000008
【図８】
0005904183.tif 000009
【図９】
0005904183.tif 000010
【図１０】
0005904183.tif 000011
【図１１】
0005904183.tif 000012
【図１２】
0005904183.tif 000013
【図１３】
0005904183.tif 000014